(57)【特許請求の範囲】
【請求項１】
無線通信システム内の端末（ＭＳ）におけるネットワーク進入のための方法であって、
該方法は、
要請されていない帯域幅割当指示子を含むＡＡＩ＿ＲＮＧ−ＲＳＰ（Ａｄｖａｎｃｅｄ  Ａｉｒ  Ｉｎｔｅｒｆａｃｅ  Ｒａｎｇｉｎｇ  Ｒｅｓｐｏｎｓｅ）メッセージを基地局（ＢＳ）から受信すること、ならびに、
該ＭＳからの要請なしに該ＢＳがアップリンク帯域幅を該ＭＳに割り当てることを該要請されていない帯域幅割当指示子が示す場合に、
該ＡＡＩ＿ＲＮＧ−ＲＳＰメッセージの受信後所定の時間の間、アップリンク帯域幅割当のためのＡ−ＭＡＰ  ＩＥ（Ａｄｖａｎｃｅｄ  ＭＡＰ  Ｉｎｆｏｒｍａｔｉｏｎ  Ｅｌｅｍｅｎｔ）をモニタリングすること、
該ＢＳが該アップリンク帯域幅を割り当てたことを該モニタリングに基づいて該ＭＳが該所定の時間内に確認した場合に、該アップリンク帯域幅を通じて該ＢＳにアップリンク信号を転送すること、および、
該ＢＳが該アップリンク帯域幅を割り当てていないことを該モニタリングに基づいて該ＭＳが該所定の時間内に確認した場合に、競合ベース帯域幅要請を行うこと
を含み、
該所定の時間の期間は、該ＡＡＩ＿ＲＮＧ−ＲＳＰメッセージが受信されたときに開始する、方法。
【請求項２】
前記割り当てられたアップリンク帯域幅の資源がデータの転送のために十分でない場合に、前記ＢＳにピギーバック方式の帯域幅要請を転送することをさらに含む、請求項１の方法。
【請求項３】
前記所定の時間は、帯域幅要請（ＢＲ）割当時間の期間である、請求項１の方法。
【請求項４】
無線通信システム内でネットワーク進入を行う端末（ＭＳ）であって、
該ＭＳは、
受信器と、
送信器と、
プロセッサと
を備え、
該受信器は、要請されていない帯域幅割当指示子を含むＡＡＩ＿ＲＮＧ−ＲＳＰ（Ａｄｖａｎｃｅｄ  Ａｉｒ  Ｉｎｔｅｒｆａｃｅ  Ｒａｎｇｉｎｇ  Ｒｅｓｐｏｎｓｅ）メッセージを基地局（ＢＳ）から受信するように構成されており、
該ＭＳからの要請なしに該ＢＳがアップリンク帯域幅を該ＭＳに割り当てることを該要請されていない帯域幅割当指示子が示す場合に、該プロセッサは、該ＡＡＩ＿ＲＮＧ−ＲＳＰメッセージの受信後所定の時間の間、アップリンク帯域幅割当のためのＡ−ＭＡＰ  ＩＥ（Ａｄｖａｎｃｅｄ  ＭＡＰ  Ｉｎｆｏｒｍａｔｉｏｎ  Ｅｌｅｍｅｎｔ）をモニタリングするように構成されており、
該ＢＳが該アップリンク帯域幅を割り当てたことを該モニタリングに基づいて該プロセッサが該所定の時間内に確認した場合に、該プロセッサは、該アップリンク帯域幅を通じて該ＢＳにアップリンク信号を転送するように該送信器を制御するようにさらに構成されており、
該ＢＳが該アップリンク帯域幅を割り当てていないことを該モニタリングに基づいて該プロセッサが該所定の時間内に確認した場合に、該プロセッサは、競合ベース帯域幅要請を行うようにさらに構成されており、
該所定の時間の期間は、該ＡＡＩ＿ＲＮＧ−ＲＳＰメッセージが受信されたときに開始する、端末。
【請求項５】
前記送信器は、前記割り当てられたアップリンク帯域幅の資源がデータの転送のために十分でない場合に、前記ＢＳにピギーバック方式の帯域幅要請を転送するようにさらに構成されている、請求項４の端末。
【請求項６】
前記所定の時間は、帯域幅要請（ＢＲ）割当時間の期間である、請求項４の端末。
【発明の詳細な説明】
【技術分野】
【０００１】
本発明は、無線通信システムに係り、特に、無線通信システムにおいてネットワークに進入する方法に関するものである。
【背景技術】
【０００２】
従来技術に係る無線通信システムにおいてネットワークに進入する方法について、図１乃至図３を参照して説明する。図１は、従来技術に係る無線通信システムにおいてネットワークに進入する手順を示す図である。
【０００３】
端末のネットワークへの進入手順は、端末が、電源がついたり、自身のセルを逃したり、新しいセルに移動すしたりする度に、端末により行われ、かつ、１０段階を経る。
【０００４】
図１に示すように、電源をつけて初期接続をするために、端末は、まず、ダウンリンクチャネルをスキャンして接続可能な基地局を探索する。この時、端末は、最初は、ネットワークのトポロジーまたは構成に関する情報を有しておらず、周辺基地局の周波数をいちいちスキャンする。
【０００５】
そして、端末は、探索した基地局から、ダウンリンク及びアップリンクに対するシステム情報を獲得し、システム設定を全て終えた後、探索した基地局とレンジング手順を行う。端末は、任意のＣＤＭＡレンジングコードを選択して基地局に転送する競合ベース（ｃｏｎｔｅｎｔｉｏｎ−ｂａｓｅｄ）方法により基地局とレンジングを行うことで、アップリンクに対する同期を合わせる。
【０００６】
同期を完了するまで、基地局は、端末が補正しなければならない変数値をレンジング応答（ｒａｎｇｉｎｇ  ｒｅｓｐｏｎｓｅ、ＲＮＧ−ＲＳＰ）メッセージを介して知らせる。変数値を補正する間は、レンジング応答メッセージの状態（ｓｔａｔｕｓ）が「ｃｏｎｔｉｎｕｅ」に設定され、変数値補正が終わると、基地局は、状態が「ｓｕｃｃｅｓｓ」に設定されたレンジング応答メッセージを転送する。
【０００７】
そして、端末と基地局とは基本能力交渉を行い、認証過程を行った後、基地局と完全に同期が合わせられると、端末は、広帯域網に登録（ｒｅｇｉｓｔｒｙ）してサービスを受ける。
【０００８】
ネットワーク進入手順の間に、端末と基地局とは、ＡＡＩ＿ＲＮＧ−ＲＥＱ／ＲＳＰ（Ａｄｖａｎｃｅｄ  Ａｉｒ  Ｉｎｔｅｒｆａｃｅ  Ｒａｎｇｉｎｇ  Ｒｅｑｕｅｓｔ／Ｒｅｓｐｏｎｓｅ）、ＡＡＩ＿ＳＢＣ−ＲＥＱ／ＲＳＰ（ＡＡＩ  ＳＳ  Ｂａｓｉｃ  Ｃａｐａｂｉｌｉｔｙ  Ｒｅｑｕｅｓｔ／Ｒｅｓｐｏｎｓｅ）、ＡＡＩ＿ＰＫＭ−ＲＥＱ／ＲＳＰ（ＡＡＩ  Ｐｒｉｖａｃｙ  Ｋｅｙ  Ｍａｎａｇｅｍｅｎｔ  Ｒｅｑｕｅｓｔ／Ｒｅｓｐｏｎｓｅ）、ＡＡＩ＿ＲＥＧ−ＲＥＱ／ＲＳＰ（ＡＡＩ  Ｒｅｇｉｓｔｒａｔｉｏｎ  Ｒｅｑｕｅｓｔ／Ｒｅｓｐｏｎｓｅ）メッセージなどのＭＡＣ（Ｍｅｄｉｕｍ  Ａｃｃｅｓｓ  Ｃｏｎｔｒｏｌ）メッセージを送受信する。従来技術では、端末は、ＭＡＣメッセージを転送する度に、ＭＡＣメッセージ転送のためのアップリンクリソース割当を要請する。
【０００９】
図２は、従来技術に係る無線通信システムにおいて端末の帯域幅要請手順を示す図であり、図３は、将来の無線通信システムにおいて端末の帯域幅要請手順を示す図である。
【００１０】
図２に示すように、端末は、アップリンク帯域幅を要請するために、レンジングコードの一つを、帯域幅要請用途のコードセットから選択して基地局に転送する（Ｓ２１０）。端末が転送したコードを正常に受信した基地局は、帯域幅要請（ｂａｎｄｗｉｄｔｈ  ｒｅｑｕｅｓｔ、ＢＷ−ＲＥＱ）メッセージを転送するためのアップリンクリソースを、端末に割り当てる（Ｓ２２０）。この時、端末は、コードを転送した後、起動したタイマーが終了するまでアップリンクリソースを受けないと、コードを再転送する。タイマーは、競合ベース予約タイマー（ｃｏｎｔｅｎｔｉｏｎ−ｂａｓｅｄ  ｒｅｓｅｒｖａｔｉｏｎ  ｔｉｍｅｏｕｔ）またはＴ３であればよい。
【００１１】
端末は、割り当てられたアップリンクリソースを通じて帯域幅要請メッセージを基地局に転送する（Ｓ２３０）。端末が転送した帯域幅要請メッセージを受信した基地局は、アップリンクリソースを端末に割り当てる（Ｓ２４０）。端末は、割り当てられたアップリンクリソースを通じてデータを転送する（Ｓ２５０）。
【００１２】
将来の無線通信システムにおいて、基地局は、一般的な５−ステップ方式、速い接近方式である３−ステップ方式の両方を支援する。５−ステップ方式は、３−ステップ方式と独立して用いられてもよく、３−ステップのフォールバックモード（ｆａｌｌ−ｂａｃｋ  ｍｏｄｅ）として用いられてもよい。
【００１３】
３−ステップ方式について説明すると、図３で、端末は、任意に選択したり、一定規則に従って選択した帯域幅要請指示子（ｂａｎｄｗｉｄｔｈ  ｒｅｑｕｅｓｔ  ｉｎｄｉｃａｔｏｒ）及びクイック接続メッセージ（ｑｕｉｃｋ  ａｃｃｅｓｓ  ｍｅｓｓａｇｅ）を基地局に転送する（Ｓ３１０）。ここで、帯域幅要請指示子は、帯域幅要請シーケンス（ＢＲ  ｓｅｑｕｅｎｃｅ）または帯域幅要請コード（ＢＲ  ｃｏｄｅ）でよく、クイック接続メッセージは、端末ＩＤ（Ｓｔａｔｉｏｎ  ＩＤ）、要請大きさなどのアップリンク帯域幅要請情報を含む。基地局は、各端末が転送した帯域幅要請指示子に対する確認応答（ａｃｋｎｏｗｌｅｄｇｅｍｅｎｔ）を端末に転送することができる。
【００１４】
帯域幅要請コード及びクイック接続メッセージを正常に受信した基地局は、アップリンクリソースを、アップリンク基本割当アドバンストＭＡＰ  ＩＥ（ＵＬ  ｂａｓｉｃ  ａｓｓｉｇｎｍｅｎｔ  Ａ−ＭＡＰ  ＩＥ）を通じて端末に割り当てる（Ｓ３４０）。端末は、割り当てられたアップリンクリソースを通じてデータを転送する（Ｓ３５０）。ここで、端末は、追加のアップリンク帯域幅要請情報を転送してもよい。
【００１５】
５−ステップ方式について説明すると、図３で、端末は、任意に選択した帯域幅要請指示子を転送する（Ｓ３１０）。帯域幅要請指示子を正常に受信した基地局は、帯域幅要請メッセージを転送するためのアップリンクリソースを、ＣＤＭＡ割当アドバンストＭＡＰ  ＩＥ（ＣＤＭＡ  Ａｌｌｏｃａｔｉｏｎ  Ａ−ＭＡＰ  ＩＥ）を通じて端末に割り当てる（Ｓ３２０）。端末は、割り当てられたアップリンクリソースを通じて帯域幅要請メッセージを転送する（Ｓ３３０）。端末が転送した帯域幅要請メッセージを受信した基地局は、アップリンクリソースを、アップリンク基本割当アドバンストＭＡＰ  ＩＥを通じて端末に割り当てる（Ｓ３４０）。端末は、割り当てられたアップリンクリソースを通じてデータを転送する（Ｓ３５０）。この時、端末は、追加のアップリンク帯域幅要請情報を転送してもよい。
【００１６】
従来技術によれば、ネットワーク進入中に、端末は、ＭＡＣメッセージを転送する度に、ＭＡＣメッセージ転送のためのアップリンクリソース割当を基地局に要請しているため、ネットワーク進入に遅延が生じることがあった。
【発明の概要】
【発明が解決しようとする課題】
【００１７】
上述した通り、従来技術では、端末がＭＡＣメッセージを転送する度に、ＭＡＣメッセージ転送のためのアップリンクリソース割当を基地局に要請することから、ネットワーク進入に遅延が発生するという問題点があった。
【００１８】
本発明の目的は、遅延を防止することができるネットワーク進入方法を提供することにある。
【００１９】
本発明で達成しようとする技術的課題は、上記の技術的課題に制限されず、言及していない他の技術的課題は、下の記載から、本発明の属する技術の分野における通常の知識を有する者には明らかになるであろう。
【課題を解決するための手段】
【００２０】
上記課題を達成するために、本発明の一様相に係る無線通信システムにおいて端末のネットワーク進入方法では、前記端末が帯域幅要請をしなくても、基地局がＭＡＣメッセージ転送のためのアップリンク帯域幅を前記端末に割り当てるということを表す要請されていない帯域幅指示子（ｕｎｓｏｌｉｃｉｔｅｄ  ｂａｎｄｗｉｄｔｈ  ｉｎｄｉｃａｔｏｒ）を含むレンジング応答（ａｄｖａｎｃｅｄ  ａｉｒ  ｉｎｔｅｒｆａｃｅ  ｒａｎｇｉｎｇ  ｒｅｓｐｏｎｓｅ、ＡＡＩ＿ＲＮＧ−ＲＳＰ）メッセージを、前記基地局から受信し、前記ＡＡＩ＿ＲＮＧ−ＲＳＰメッセージを受信してから所定の時間（ｐｒｅｄｅｆｉｎｅｄ  ｔｉｍｅ）の間に、Ａ−Ａ−ＭＡＰ  ＩＥ（ａｄｖａｎｃｅ  ＭＡＰ  ｉｎｆｏｒｍａｔｉｏｎ  ｅｌｅｍｅｎｔ）をモニタリングする。
【００２１】
ここで、前記端末には、前記ＡＡＩ＿ＲＮＧ−ＲＳＰメッセージを受信てから前記所定の時間内にアップリンク帯域幅が割り当てられ、該端末は、前記割り当てられた帯域幅を通じてＭＡＣメッセージを前記基地局に転送する。
【００２２】
また、前記端末は、前記ＭＡＣメッセージに対する不正確認応答を受信し、前記不正確認応答を受信してから前記所定の時間内に、アップリンク帯域幅が割り当てられ、
前記割り当てられた帯域幅を通じて前記ＭＡＣメッセージを前記基地局に再転送する。
【００２３】
また、前記端末は、前記割り当てられた帯域幅が、前記ＭＡＣメッセージを転送するのに不足すると、前記割り当てられた帯域幅を通じて前記ＭＡＣメッセージの一部を転送しながら、追加の帯域幅を要請する。
【００２４】
さらに、前記端末は、前記所定の時間内に帯域幅が割り当てられないと、競合ベース帯域幅要請を行えばよい。
【００２５】
上記課題を達成するために、本発明の一様相に係る無線通信システムにおいて基地局のネットワーク進入支援方法では、端末が帯域幅要請をしなくても、前記基地局がＭＡＣメッセージ転送のためのアップリンク帯域幅を前記端末に割り当てるということを表す要請されていない帯域幅指示子（ｕｎｓｏｌｉｃｉｔｅｄ  ｂａｎｄｗｉｄｔｈ  ｉｎｄｉｃａｔｏｒ）を含むレンジング応答（ａｄｖａｎｃｅｄ  ａｉｒ  ｉｎｔｅｒｆａｃｅ  ｒａｎｇｉｎｇ  ｒｅｓｐｏｎｓｅ、ＡＡＩ＿ＲＮＧ−ＲＳＰ）メッセージを、前記端末に転送し、前記ＡＡＩ＿ＲＮＧ−ＲＳＰメッセージを転送してから所定の時間（ｐｒｅｄｅｆｉｎｅｄ  ｔｉｍｅ）内に、アップリンク帯域幅を前記端末に割り当てる。
【００２６】
ここで、前記基地局は、前記割り当てた帯域幅を通じて前記端末からＭＡＣメッセージを受信してもよい。
【００２７】
なお、前記基地局は、前記割り当てた帯域幅を通じて前記端末からＭＡＣメッセージを受信できないと、前記ＭＡＣメッセージに対する不正確認応答を転送し、前記割り当てた帯域幅に対応する時刻から前記所定の時間以内に、前記ＭＡＣメッセージの再転送のためのアップリンク帯域幅を前記端末に割り当てることができる。
（項目１）
無線通信システムにおいて端末のネットワーク進入方法であって、
前記端末が帯域幅要請をしなくても、基地局がＭＡＣメッセージ転送のためのアップリンク帯域幅を前記端末に割り当てるということを表す要請されていない帯域幅指示子（ｕｎｓｏｌｉｃｉｔｅｄ  ｂａｎｄｗｉｄｔｈ  ｉｎｄｉｃａｔｏｒ）を含むレンジング応答（ａｄｖａｎｃｅｄ  ａｉｒ  ｉｎｔｅｒｆａｃｅ  ｒａｎｇｉｎｇ  ｒｅｓｐｏｎｓｅ、ＡＡＩ＿ＲＮＧ−ＲＳＰ）メッセージを、前記基地局から受信し、
前記ＡＡＩ＿ＲＮＧ−ＲＳＰメッセージを受信してから所定の時間（ｐｒｅｄｅｆｉｎｅｄ  ｔｉｍｅ）の間に、Ａ−Ａ−ＭＡＰ  ＩＥ（ａｄｖａｎｃｅ  ＭＡＰ  ｉｎｆｏｒｍａｔｉｏｎ  ｅｌｅｍｅｎｔ）をモニタリングすること、
を含む、ネットワーク進入方法。
（項目２）
前記ＡＡＩ＿ＲＮＧ−ＲＳＰメッセージを受信てから前記所定の時間内にアップリンク帯域幅が割り当てられ、
前記割り当てられた帯域幅を通じてＭＡＣメッセージを前記基地局に転送すること、
をさらに含む、項目１に記載のネットワーク進入方法。
（項目３）
前記ＭＡＣメッセージに対する不正確認応答を受信し、
前記不正確認応答を受信してから前記所定の時間内に、アップリンク帯域幅が割り当てられ、
前記割り当てられた帯域幅を通じて前記ＭＡＣメッセージを前記基地局に再転送すること、
をさらに含む、項目２に記載のネットワーク進入方法。
（項目４）
前記転送は、
前記割り当てられた帯域幅が、前記ＭＡＣメッセージを転送するのに不足すると、前記割り当てられた帯域幅を通じて前記ＭＡＣメッセージの一部を転送しながら、追加の帯域幅を要請することを特徴とする、項目２に記載のネットワーク進入方法。
（項目５）
前記所定の時間内に帯域幅が割り当てられないと、競合ベース帯域幅要請を行うことをさらに含む、項目１に記載のネットワーク進入方法。
（項目６）
無線通信システムにおいて基地局のネットワーク進入支援方法であって、
端末が帯域幅要請をしなくても、前記基地局がＭＡＣメッセージ転送のためのアップリンク帯域幅を前記端末に割り当てるということを表す要請されていない帯域幅指示子（ｕｎｓｏｌｉｃｉｔｅｄ  ｂａｎｄｗｉｄｔｈ  ｉｎｄｉｃａｔｏｒ）を含むレンジング応答（ａｄｖａｎｃｅｄ  ａｉｒ  ｉｎｔｅｒｆａｃｅ  ｒａｎｇｉｎｇ  ｒｅｓｐｏｎｓｅ、ＡＡＩ＿ＲＮＧ−ＲＳＰ）メッセージを、前記端末に転送し、
前記ＡＡＩ＿ＲＮＧ−ＲＳＰメッセージを転送してから所定の時間（ｐｒｅｄｅｆｉｎｅｄ  ｔｉｍｅ）内に、アップリンク帯域幅を前記端末に割り当てること、
を含む、ネットワーク進入支援方法。
（項目７）
前記割り当てた帯域幅を通じて前記端末からＭＡＣメッセージを受信することをさらに含む、項目６に記載のネットワーク進入支援方法。
（項目８）
前記割り当てた帯域幅を通じて前記端末からＭＡＣメッセージを受信できないと、前記ＭＡＣメッセージに対する不正確認応答を転送し、
前記割り当てた帯域幅に対応する時刻から前記所定の時間以内に、前記ＭＡＣメッセージの再転送のためのアップリンク帯域幅を前記端末に割り当てること、
をさらに含む、項目６に記載のネットワーク進入支援方法。
【発明の効果】
【００２８】
本発明の実施例によれば、基地局が、端末から要請されずに、端末のＭＡＣメッセージ転送のための帯域幅を端末に割り当てることによって、端末のネットワーク進入時に遅延を防止することができる。
【００２９】
本発明から得られる効果は、以上に言及した効果に制限されず、言及していない他の効果は、下の記載から、本発明の属する技術の分野における通常の知識を有する者には明らかになるであろう。
【図面の簡単な説明】
【００３０】
【図１】従来技術に係る無線通信システムでネットワーク進入手順を示す図である。
【図２】従来技術に係る無線通信システムで端末の帯域幅要請手順を示す図である。
【図３】将来の無線通信システムにおいて端末の帯域幅要請手順を示す図である。
【図４】第１の実施例に係るネットワーク進入方法を示す図である。
【図５】ＭＡＣメッセージを再転送する場合、第１の実施例に係るネットワーク進入方法を示す図である。
【図６】第２の実施例に係るネットワーク進入方法を示す図である。
【図７】本発明の第３の実施例に係るネットワーク進入方法を示す図である。
【図８】第４の実施例に係るネットワーク進入方法を示す図である。
【発明を実施するための形態】
【００３１】
以下、添付の図面を参照しつつ、本発明の様々な実施の形態について、本発明の属する技術の分野における通常の知識を有する者が容易に実施できるように詳細に説明する。ただし、本発明は、様々な別の形態に具現することができ、ここで説明する実施の形態に限定されない。そして、図面中、本発明を明確に説明するために、説明と関係ない部分は省略し、明細書全体を通じて類似の部分には類似の図面符号を付ける。
【００３２】
明細書全体において、ある部分がある構成要素を“含む”とすれば、これは、特別な言及がない限り、他の構成要素を除外するという意味ではなく、他の構成要素をさらに含むことが可能であるということを意味する。また、明細書に記載された“…部”、“…機”、“モジュール”などの用語は、少なくとも一つの機能や動作を処理する単位を意味し、これは、ハードウェア、ソフトウェア、またはハードウェアとソフトウェアとの結合で具現することができる。
【００３３】
まず、本発明の第１の実施例に係るネットワーク進入方法について、図４及び図５を参照して説明する。
【００３４】
図４は、第１の実施例に係るネットワーク進入方法を示す図であり、図５は、ＭＡＣメッセージを再転送する場合、第１の実施例に係るネットワーク進入方法を示す図である。
【００３５】
図４に示すように、端末は、基地局からアドバンストプリアンブル（Ａ−Ｐｒｅａｍｂｌｅ）を受信することによって、基地局を見出し、ダウンリンク同期を合わせ（Ｓ４０１）、続いてスーパーフレームヘッダーを通じて基本パラメタを受信する（Ｓ４０２）。そして、端末は、初期レンジング手順によって基地局とアップリンク同期を合わせる（Ｓ４０３、Ｓ４０４）。
【００３６】
端末は、レンジング要請（ａｄｖａｎｃｅｄ  ａｉｒ  ｉｎｔｅｒｆａｃｅ  ｒａｎｇｉｎｇ  ｒｅｑｕｅｓｔ；以下、“ＡＡＩ＿ＲＮＧ−ＲＥＱ”という。）メッセージを基地局に転送し（Ｓ４０５）、基地局は、要請されていない帯域幅指示子（ｕｎｓｏｌｉｃｉｔｅｄ  ｂａｎｄｗｉｄｔｈ  ｉｎｄｉｃａｔｏｒ）を含むレンジング応答（ａｄｖａｎｃｅｄ  ａｉｒ  ｉｎｔｅｒｆａｃｅ  ｒａｎｇｉｎｇ  ｒｅｓｐｏｎｓｅ；以下、“ＡＡＩ＿ＲＮＧ−ＲＳＰ”という。）メッセージを、端末に転送する（Ｓ４０６）。ここで、要請されていない帯域幅指示子は、端末が帯域幅要請をしていないにもかかわらず、基地局がＭＡＣメッセージ転送のためのアップリンク帯域幅を端末に割り当てることを表す。すなわち、基地局がＡＡＩ＿ＲＮＧ−ＲＳＰメッセージに、要請されていない帯域幅指示子を含めて端末に転送するということは、ネットワーク進入の間に、端末から要請されなくても、端末がＭＡＣメッセージを転送できるようにアップリンク帯域幅を割り当てるということを端末に知らせることを指す。
【００３７】
要請されていない帯域幅指示子を含むＡＡＩ＿ＲＮＧ−ＲＳＰメッセージを受信した端末は、ＡＡＩ＿ＲＮＧ−ＲＳＰメッセージを受信してから所定の時間（ｐｒｅｄｅｆｉｎｅｄ  ｔｉｍｅ）の間に、Ａ−Ａ−ＭＡＰ  ＩＥ（ａｄｖａｎｃｅ  ＭＡＰ  ｉｎｆｏｒｍａｔｉｏｎ  ｅｌｅｍｅｎｔ）をモニタリングし、アップリンク帯域幅割当を確認する。端末は、ＡＡＩ＿ＲＮＧ−ＲＳＰメッセージを受信してから所定の時間内に、Ａ−Ａ−ＭＡＰ  ＩＥを通じてアップリンク帯域幅を受けると（Ｓ４０７）、該割り当てられた帯域幅を通じて端末基本能力要請（ｓｕｂｓｃｒｉｂｅｒ  ｓｔａｔｉｏｎ  ｂａｓｉｃ  ｃａｐａｂｉｌｉｔｙ  ｒｅｑｕｅｓｔ；以下“ＡＡＩ＿ＳＢＣ−ＲＥＱ”という。）メッセージを基地局に転送する（Ｓ４０８）。その後、基地局は、端末基本能力応答（ｓｕｂｓｃｒｉｂｅｒ  ｓｔａｔｉｏｎ  ｂａｓｉｃ  ｃａｐａｂｉｌｉｔｙ  ｒｅｓｐｏｎｓｅ；以下、“ＡＡＩ＿ＳＢＣ−ＲＳＰ”という。）メッセージを、端末に転送する（Ｓ４０９）。
【００３８】
端末は、ＡＡＩ＿ＳＢＣ−ＲＳＰメッセージを受信してから所定の時間の間にＡ−Ａ−ＭＡＰ  ＩＥをモニタリングし、アップリンク帯域幅割当を確認する。ＡＡＩ＿ＳＢＣ−ＲＳＰメッセージを受信してから所定の時間内に、Ａ−Ａ−ＭＡＰ  ＩＥを通じてアップリンク帯域幅が割り当てられると（Ｓ４１０）、端末は、該割り当てられた帯域幅を通じて、個人キー管理要請（ｐｒｉｖａｃｙ  ｋｅｙ  ｍａｎａｇｅｍｅｎｔ  ｒｅｑｕｅｓｔ、以下、“ＰＫＭ−ＲＥＱ”という。）メッセージを、基地局に転送する（Ｓ４１１）。
【００３９】
その後、ネットワーク進入手順が終了するまで、基地局は、応答メッセージを転送してから所定の時間以内に、端末の次の要請メッセージ転送のための帯域幅を割り当てる。
【００４０】
端末は、所定の時間以内に帯域幅が割り当てられないと、競合ベース帯域幅要請を行う。すなわち、帯域幅要請用のレンジングコードセットから一つのコードを選択して基地局に転送する。
【００４１】
そして、端末は、割り当てられた帯域幅がＭＡＣメッセージを転送するのに足りないと、ピギーバック方式で帯域幅要請を行うことができる。すなわち、ＭＡＣメッセージを転送しながら、さらなる帯域幅を要請することができる。
【００４２】
端末が転送したＭＡＣメッセージを基地局が成功的に受信できなかった場合は、端末はＭＡＣメッセージを再転送する。端末がＭＡＣメッセージを再転送する場合、第１の実施例に係るネットワーク進入方法について、図５を参照して説明する。
【００４３】
図５に示すように、端末は、基地局からアドバンストプリアンブル（Ａ−Ｐｒｅａｍｂｌｅ）を受信して基地局を見出し、ダウンリンク同期を合わせ（Ｓ５０１）、スーパーフレームヘッダーを通じて基本パラメタを受信する（Ｓ５０２）。そして、端末は、初期レンジングを通じて基地局とアップリンク同期を合わせる（Ｓ５０３、Ｓ５０４）。
【００４４】
端末は、ＡＡＩ＿ＲＮＧ−ＲＥＱメッセージを基地局に転送し（Ｓ５０５）、基地局は、要請されていない帯域幅指示子を含むＡＡＩ＿ＲＮＧ−ＲＳＰメッセージを端末に転送する（Ｓ５０６）。
【００４５】
要請されていない帯域幅指示子を含むＡＡＩ＿ＲＮＧ−ＲＳＰメッセージを受信した端末は、レンジング応答メッセージを受信してから所定の時間の間に、Ａ−Ａ−ＭＡＰ  ＩＥをモニタリングし、アップリンク帯域幅割当を確認する。端末は、ＡＡＩ＿ＲＮＧ−ＲＳＰメッセージを受信してから所定の時間内に、Ａ−Ａ−ＭＡＰ  ＩＥを通じてアップリンク帯域幅が割り当てられると（Ｓ５０７）、該割り当てられた帯域幅を通じてＡＡＩ＿ＳＢＣ−ＲＥＱメッセージを基地局に転送する（Ｓ５０８）。
【００４６】
この時、端末が転送したＡＡＩ＿ＳＢＣ−ＲＥＱメッセージを基地局が成功的に受信できなかった場合、基地局は、ＡＡＩ＿ＳＢＣ−ＲＥＱメッセージの転送のために端末に割り当てられた帯域幅に対応する時刻から所定の時間内に、ＡＡＩ＿ＳＢＣ−ＲＥＱメッセージ再転送のための帯域幅を端末に割り当てる（Ｓ５０９）。そして、端末は、ＡＡＩ＿ＳＢＣ−ＲＥＱメッセージに対するＨＡＲＱローカル否定確認応答（ＨＡＲＱ  ｌｏｃａｌ  ＮＡＣＫ）を受信してから所定の時間の間に、Ａ−Ａ−ＭＡＰ  ＩＥをモニタリングし、アップリンク帯域幅割当を確認する。そして、端末は、アップリンク帯域幅が割り当てられると、該割り当てられた帯域幅を通じて、ＡＡＩ＿ＳＢＣ−ＲＥＱメッセージを基地局に再転送する（Ｓ５１０）。
【００４７】
次に、本発明の第２の実施例に係るネットワーク進入方法について、図６を参照して説明する。
【００４８】
ネットワーク進入中に端末が転送するＭＡＣメッセージは、省略するフィールドが端末によって異なるため、転送されるＭＡＣメッセージの大きさは異なることがある。にもかかわらず、ネットワーク進入中に、端末の要請無しで、基地局が端末に一定の大きさの帯域幅を割り当てれると、帯域幅の浪費につながることがある。
【００４９】
そこで、本発明の第２の実施例では、基地局が、帯域幅ポーリング指示子（ｂａｎｄｗｉｄｔｈ  ｐｏｌｌｉｎｇ  ｉｎｄｉｃａｔｏｒ）を含むＡＡＩ＿ＲＮＧ−ＲＳＰメッセージを、基地局に転送し、ネットワーク進入中に、端末からの要請がなくても、基地局が帯域幅要請メッセージ転送のための帯域幅を端末にポーリングする。すると、端末は、要請大きさを含む帯域幅要請メッセージを基地局に転送する。
【００５０】
図６は、第２の実施例に係るネットワーク進入方法を示す図である。
【００５１】
図６に示すように、端末は、基地局からアドバンストプリアンブル（Ａ−Ｐｒｅａｍｂｌｅ）を受信して基地局を見出し、ダウンリンク同期を合わせ（Ｓ６０１）、スーパーフレームヘッダーを通じて基本パラメタを受信する（Ｓ６０２）。そして、端末は、初期レンジングによって基地局とアップリンク同期を合わせる（Ｓ６０３、Ｓ６０４）。
【００５２】
端末は、ＡＡＩ＿ＲＮＧ−ＲＥＱメッセージを基地局に転送し（Ｓ６０５）、基地局は、帯域幅ポーリング指示子を含むＡＡＩ＿ＲＮＧ−ＲＳＰメッセージを端末に転送する（Ｓ６０６）。
【００５３】
この時、帯域幅ポーリング指示子は、端末が帯域幅要請をしなくても、基地局が帯域幅要請メッセージ転送のためのアップリンク帯域幅を端末にポーリングするということを表す。すなわち、基地局がＡＡＩ＿ＲＮＧ−ＲＳＰメッセージに帯域幅ポーリング指示子を含めて端末に転送するということは、ネットワーク進入中に、端末からの要請がなくても、端末が帯域幅要請メッセージを転送できるようにアップリンク帯域幅をポーリングするということを端末に知らせることである。
【００５４】
帯域幅ポーリング指示子を含むＡＡＩ＿ＲＮＧ−ＲＳＰメッセージを受信した端末は、レンジング応答メッセージを受信してから所定の時間の間に、アップリンク帯域幅割当を確認する。端末は、ＡＡＩ＿ＲＮＧ−ＲＳＰメッセージを受信してから所定の時間内にアップリンク帯域幅が割り当てられると（Ｓ６０７）、該割り当てられた帯域幅を通じて帯域幅要請メッセージを基地局に転送する（Ｓ６０８）。この時、帯域幅要請メッセージは、端末が必要とする帯域幅の大きさを含む。すると、基地局は、端末から要請された大きさの帯域幅を端末に割り当て（Ｓ６０９）、端末は、該割り当てられた帯域幅を通じてＡＡＩ＿ＳＢＣ−ＲＥＱメッセージを基地局に転送する（Ｓ６１０）。
【００５５】
続いて、基地局は、ＡＡＩ＿ＳＢＣ−ＲＳＰメッセージを端末に転送し（Ｓ６１１）、ＡＡＩ＿ＳＢＣ−ＲＳＰメッセージを転送してから所定の時間内に、端末に帯域幅を割り当てる（Ｓ６１２）。すると、端末は、割り当てられた帯域幅を通じて、要請大きさを含む帯域幅要請メッセージを転送し（Ｓ６１３）、基地局は、要請された大きさの帯域幅を端末に割り当てる（Ｓ６１４）。
【００５６】
そして、端末は、割り当てられた帯域幅を通じて基地局にＡＡＩ＿ＰＫＭ−ＲＥＱメッセージを転送する（Ｓ６１５）。この時、基地局がＡＡＩ＿ＰＫＭ−ＲＥＱメッセージを成功的に受信できなかった場合、基地局は、ＡＡＩ＿ＰＫＭ−ＲＥＱメッセージ転送のために端末に割り当てられた帯域幅に対応する時刻から所定の時間内に、ＡＡＩ＿ＰＫＭ−ＲＥＱメッセージ再転送のための帯域幅を端末に割り当てる（Ｓ６１６）。そして、端末は、ＡＡＩ＿ＰＫＭ−ＲＥＱメッセージに対する不正確認応答（ＮＡＣＫ）を受信してから所定の時間の間に、アップリンク帯域幅割当を確認する。そして、アップリンク帯域幅が割り当てられると、端末は、該割り当てられた帯域幅を通じてＡＡＩ＿ＰＫＭ−ＲＥＱメッセージを基地局に再転送する（Ｓ６１７）。
【００５７】
次に、本発明の第３の実施例に係るネットワーク進入方法について、図７を参照して説明する。
【００５８】
本発明の第３の実施例によれば、端末が、要請されていない帯域幅指示子を含むＭＡＣメッセージを転送して、次のＭＡＣメッセージ転送のためのアップリンク帯域幅を割り当てるように基地局に要請する。この時、端末は、ＭＡＣメッセージを転送する度に、要請されてない帯域幅指示子を含めて転送してもよく、ＡＡＩ＿ＲＮＧ−ＲＥＱに、要請されていない帯域幅指示子を含めて転送して、ネットワーク進入中に、全てのＭＡＣメッセージの転送のためのアップリンク帯域幅を割り当てるように基地局に要請してもよい。そして、本発明の第３の実施例では、帯域幅要請割当タイマー（ｂａｎｄｗｉｄｔｈ  ｒｅｑｕｅｓｔ  ｇｒａｎｔ  ｔｉｍｅｒ；以下、“ＢＲ  Ｇｒａｎｔ  Ｔｉｍｅｒ”という。）を用い、ＢＲ  Ｇｒａｎｔ  Ｔｉｍｅｒが満了するまで、端末が転送したＭＡＣメッセージを、基地局が正常に受信できなかった場合は、基地局は、端末からの要請がなくても、ＭＡＣメッセージの再転送のためのアップリンク帯域幅を端末に割り当てる。
【００５９】
図７は、本発明の第３の実施例に係るネットワーク進入方法を示す図である。
【００６０】
図７に示すように、端末は、要請されていない帯域幅指示子を含むＲＮＧ−ＲＥＱメッセージを基地局に転送する（Ｓ７０１）。要請されていない帯域幅指示子は、端末からの要請がなくても、次のＭＡＣメッセージ転送のための帯域幅を基地局が端末に転送することを指示するものである。この時、端末は、次のＭＡＣメッセージの大きさに関する情報も共に基地局に知らせてもよい。
【００６１】
すると、基地局は、要請されていない帯域幅指示子に対する応答と、帯域幅の割り当てられる時点に関する情報とを含むＲＮＧ−ＲＳＰメッセージを、端末に転送する（Ｓ７０２）。要請されていない帯域幅指示子に対する応答は、基地局が、端末からの要請がなくてもＳＢＣ−ＲＥＱメッセージ転送のための帯域幅を割り当てることができるか否かに対する応答であり、帯域幅の割り当てられる時点は、ＲＮＧ−ＲＳＰメッセージを転送してからＳＢＣ−ＲＥＱメッセージ転送のための帯域幅が割り当てられる時点までのフレームオフセット（ｏｆｆｓｅｔ）またはサブフレームオフセット（ｏｆｆｓｅｔ）値にしてもよく、また、帯域幅の割り当てられる時点に関する情報を基地局が端末に知らせず、基地局と端末が所定の時間を知っており、ＲＮＧ−ＲＳＰメッセージを転送してから所定の時間内に、基地局が端末にＳＢＣ−ＲＥＱメッセージ転送のための帯域幅を割り当ててもよい。
【００６２】
基地局は、ＲＮＧ−ＲＳＰメッセージを転送してからフレームオフセットまたは所定の時間内に、ＳＢＣ−ＲＥＱメッセージ転送のための帯域幅を端末に割り当て（Ｓ７０３）、ＢＲ  Ｇｒａｎｔ  Ｔｉｍｅｒを始動する。端末も、ＳＢＣ−ＲＥＱメッセージ転送のための帯域幅を受けた時点からＢＲ  Ｇｒａｎｔ  Ｔｉｍｅｒを始動する。
【００６３】
端末は、割り当てられた帯域幅を通じてＳＢＣ−ＲＥＱメッセージを基地局に転送する（Ｓ７０４）。しかるに、ＢＲ  Ｇｒａｎｔ  Ｔｉｍｅｒが満了するまで、端末の転送したＳＢＣ−ＲＥＱメッセージを基地局が成功的に受信できないと、基地局は、ＳＢＣ−ＲＥＱメッセージ再転送のためのアップリンク帯域幅を端末に割り当て（Ｓ７０５）、ＢＲ  Ｇｒａｎｔ  Ｔｉｍｅｒを再び始動する。端末も、ＢＲ  Ｇｒａｎｔ  Ｔｉｍｅｒが満了するまでＳＢＣ−ＲＥＱメッセージの転送に失敗したことを確認応答から認知すると、アップリンク帯域幅の割当を確認し、割り当てられた帯域幅を通じて、要請されていない帯域幅指示子を含むＳＢＣ−ＲＥＱメッセージを再転送する（Ｓ７０６）。
【００６４】
基地局は、ＳＢＣ−ＲＥＱメッセージを成功的に受信すると、ＢＲ  Ｇｒａｎｔ  Ｔｉｍｅｒを中止し、端末も、基地局がＳＢＣ−ＲＥＱメッセージを成功的に受信したことを、確認応答から認知すると、ＢＲ  Ｇｒａｎｔ  Ｔｉｍｅｒを中止する。
【００６５】
その後、基地局は、要請されていない帯域幅指示子に対する応答と、帯域幅の割り当てられる時点に関する情報とを含むＳＢＣ−ＲＳＰメッセージを端末に転送し（Ｓ７０７）、ＳＢＣ−ＲＳＰメッセージを転送してからフレームオフセット後に、ＰＫＭ−ＲＥＱメッセージの転送のための帯域幅を端末に割り当て（Ｓ７０８）、ＢＲ  Ｇｒａｎｔ  Ｔｉｍｅｒを始動する。
【００６６】
端末は、割り当てられた帯域幅を通じてＰＫＭ−ＲＥＱメッセージを転送する（Ｓ７０９）。
【００６７】
ＢＲ  ｇｒａｎｔ  ｔｉｍｅｒは、ネットワーク進入を迅速にさせる目的でネットワーク進入中に適用できることはもとより、その他の目的のために用いられるメッセージ伝達のための帯域幅要請時にも適用できる。
【００６８】
ＢＲ  ｇｒａｎｔ  ｔｉｍｅｒを適用すると、従来の要請メッセージ及び応答メッセージ受信のためのタイマーが満了する時点まで待つ必要がなく、端末は、ＢＲ  ｇｒａｎｔ  ｔｉｍｅｒが満了すると、直ちに、割り当てられた帯域幅を通じてメッセージ再転送を行うことができる。
【００６９】
また、ＢＲ  ｇｒａｎｔ  ｔｉｍｅｒを適用すると、送信端でＬｏｃａｌ  ＮＡＣＫメッセージを受信した時、メッセージ送受信確認のためのタイマーが完了する時点まで待つ必要なく、直ちに、要請されていない帯域幅指示子を伝達することで、メッセージ再転送のための準備が速かにできる。
【００７０】
また、ＨＡＲＱ再転送のためのタイマーが定義されると、ＢＲ  ｇｒａｎｔ  ｔｉｍｅｒは、ＨＡＲＱ再転送のためのタイマーに入れ替えてよく、ＨＡＲＱ再転送タイマーが満了すると、基地局は自動で再転送のための帯域幅を割り当てることができる。
【００７１】
次に、本発明の第４の実施例に係るネットワーク進入方法について、図８を参照して説明する。
【００７２】
本発明の第４の実施例では、端末がハンドオーバーをした後、ネットワーク再進入する過程で、要請されていない帯域幅指示子及びＢＲ  ｇｒａｎｔ  ｔｉｍｅｒを使用する場合について説明する。
【００７３】
図８は、第４の実施例に係るネットワーク進入方法を示す図である。
【００７４】
図８に示すように、端末は、サービング基地局にハンドオーバー要請（ｈａｎｄｏｖｅｒ  ｒｅｑｕｅｓｔ；以下、“ＨＯ−ＲＥＱ”という。）メッセージを転送し（Ｓ８０１）、サービング基地局は、ハンドオーバー応答（ｈａｎｄｏｖｅｒ  ｒｅｓｐｏｎｓｅ；以下、“ＨＯ−ＲＳＰ”という。）メッセージを端末に転送する（Ｓ８０２）。ここで、ＨＯ−ＲＳＰメッセージはアクションタイム（ａｃｔｉｏｎ  ｔｉｍｅ）を含むことができる。これは、端末に非競合ベースレンジング機会（ｎｏｎ  ｃｏｎｔｅｎｔｉｏｎ  ｂａｓｅｄ  ｒａｎｇｉｎｇ  ｏｐｐｏｒｔｕｎｉｔｙ）を与える目的で、ａｃｔｉｏｎ  ｔｉｍｅ＋Ｔ５５タイマー後に、基地局が端末に速いレンジングＩＥ（ｆａｓｔ  ｒａｎｇｉｎｇ  ＩＥ）を転送することを知らせるためである。
【００７５】
端末は基地局にハンドオーバー指示（ｈａｎｄｏｖｅｒ  ｉｎｄｉｃａｔｉｏｎ、ＨＯ−ＩＮＤ）メッセージを転送し（Ｓ８０３）、基地局から速いレンジングＩＥを受信すると（Ｓ８０４）、ＢＲ  ｇｒａｎｔ  ｔｉｍｅｒを始動する。基地局も、速いレンジングＩＥを転送し、ＢＲ  ｇｒａｎｔ  ｔｉｍｅｒを始動する。そして、端末は、割り当てられた帯域幅を通じてＲＮＧ−ＲＥＱメッセージを転送する（Ｓ８０５）。ＲＮＧ−ＲＥＱメッセージは、要請されていない帯域幅指示子を含む。
【００７６】
しかるに、基地局が、ＢＲ  ｇｒａｎｔ  ｔｉｍｅｒが満了するまで、ＲＮＧ−ＲＥＱメッセージを成功的に受信できないと、ＲＮＧ−ＲＥＱメッセージ再転送のための帯域幅を端末に割り当てる（Ｓ８０６）。すると、端末は、該割り当てられた帯域幅を通じてＲＮＧ−ＲＥＱメッセージを基地局に再転送する（Ｓ８０７）。
【００７７】
ＲＮＧ−ＲＥＱメッセージを成功的に受信した基地局は、要請されていない帯域幅指示子に対する応答と、帯域幅の割り当てられる時点に関する情報とを含むＲＮＧ−ＲＳＰメッセージを端末に転送する（Ｓ８０８）。
【００７８】
基地局は端末にＳＢＣ−ＲＥＱメッセージ転送のための帯域幅を割り当て（Ｓ８０９）、ＢＲ  ｇｒａｎｔ  ｔｉｍｅｒを始動する。そして、ＳＢＣ−ＲＥＱメッセージを端末から成功的に受信すると（Ｓ８１０）、ＢＲ  ｇｒａｎｔ  ｔｉｍｅｒを中止し、ＳＢＣ−ＲＳＰメッセージを端末に転送する。
【００７９】
本発明に係る実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例に係るネットワーク進入方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００８０】
ファームウェアやソフトウェアによる具現の場合、本発明の一実施例に係るネットワーク進入方法は、以上で説明された機能または動作を行うモジュール、手順または関数などの形態とすることができる。例えば、ソフトウェアコードは、メモリーユニットに保存され、プロセッサにより駆動されてよい。メモリーユニットは、プロセッサの内部または外部に設けられて、公知の様々な手段によりプロセッサとデータを交換することができる。
【００８１】
本発明は、本発明の技術的思想及び必須特徴を逸脱しない範囲で他の特定の形態に具体化可能であるということは、当業者にとっては明らかである。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。なお、特許請求の範囲で明示的な引用関係を有しない請求項を結合して実施例を構成したり、出願後の補正により新しい請求項として含めることができるということは明らかである。
【図１】
0005612075.tif 000002
【図２】
0005612075.tif 000003
【図３】
0005612075.tif 000004
【図４】
0005612075.tif 000005
【図５】
0005612075.tif 000006
【図６】
0005612075.tif 000007
【図７】
0005612075.tif 000008
【図８】
0005612075.tif 000009